(57)【要約】【課題】発光装置の発光面の反対側へ漏れる光の量を抑える。【解決手段】複数の発光部１５２は、基板１００の第１面１０２側に位置している。各発光部１５２は、基板１００の第１面１０２側から第１電極１１０、有機層１２０及び第２電極１３０を順に含む積層構造を有している。各透光部１５４は、隣り合う発光部１５２の間に位置している。言い換えると、複数の発光部１５２及び複数の透光部１５４は、交互に並んでいる。複数の遮光体２００のそれぞれは、複数の透光部１５４のそれぞれにおいて基板１００の第１面１０２を覆っている。【選択図】図４
2018147721.tif 000002
【特許請求の範囲】
【請求項１】
基板の第１面側に位置し、前記第１面側から第１電極、有機層及び第２電極を順に含む積層構造をそれぞれ有する複数の発光部と、
隣り合う発光部の間にそれぞれ位置する複数の透光部と、
前記複数の透光部のそれぞれにおいて前記基板の前記第１面を覆う複数の遮光体と、
を備える発光装置。
【請求項２】
請求項１に記載の発光装置において、
各遮光体は、各透光部の中心で前記基板の前記第１面を覆っている発光装置。
【請求項３】
請求項１に記載の発光装置において、
前記複数の発光部は、隣り合う第１発光部及び第２発光部を含み、
前記複数の遮光体は、前記第１発光部と前記第２発光部の間に第１遮光体及び第２遮光体を含み、
前記第１遮光体は、前記第２遮光体よりも、前記第１発光部に近く位置しており、
前記第２遮光体は、前記第１遮光体よりも、前記第２発光部に近く位置している発光装置。
【請求項４】
請求項１に記載の発光装置において、
前記基板は、厚さＴ及び屈折率ｎを有し、
前記基板の前記第１面側における輝度分布は、前記第１面に垂直な方向から角度φ傾いた方向において最初の極小値をとり、
各遮光体は、各発光部の中心から距離２Ｔｔａｎ（ｓｉｎ−１（ｓｉｎφ／ｎ））離れた位置で前記第１面を覆っている発光装置。
【請求項５】
請求項４に記載の発光装置において、
前記複数の発光部の配列方向において、各遮光体は、前記位置から一方の側に向かって各発光部の幅の１／２の９５％以上１０５％以下の距離離れた位置まで広がっており、かつ前記位置からもう一方の側に向かって各発光部の幅の１／２の９５％以上１０５％以下の距離離れた位置まで広がっている発光装置。
【請求項６】
請求項１から５までのいずれか一項に記載の発光装置において、
各透光部は、隣り合う発光部の中心間で各遮光体から露出した領域を有し、
前記複数の発光部の配列方向において、各透光部の前記領域は、隣り合う発光部の中心間の３０％以上を占める発光装置。
【請求項７】
請求項１から６までのいずれか一項に記載の発光装置において、
各遮光体は、ブラックマトリクスである発光装置。
【請求項８】
請求項１から６までのいずれか一項に記載の発光装置において、
各遮光体は、前記第２電極と同一材料を含む発光装置。
【請求項９】
請求項８に記載の発光装置において、
各遮光体の厚さは、前記第２電極の厚さと同一である発光装置。
【発明の詳細な説明】
【技術分野】
【０００１】
本発明は、発光装置に関する。
【背景技術】
【０００２】
近年、透光性を有する有機発光ダイオード（ＯＬＥＤ）が開発されている。特許文献１には、透光性ＯＬＥＤの一例について記載されている。このＯＬＥＤは、基板、第１電極、有機層及び複数の第２電極を備えている。第１電極及び有機層は、基板上で順に積層されている。複数の第２電極は、有機層上でストライプ状に配置されている。ＯＬＥＤの外部からの光は、隣り合う第２電極の間を透過することができる。したがって、ＯＬＥＤは、透光性を有している。
【先行技術文献】
【特許文献】
【０００３】
【特許文献１】特開２０１３−１４９３７６号公報
【発明の概要】
【発明が解決しようとする課題】
【０００４】
上述したように、近年、透光性を有するＯＬＥＤが開発されている。このようなＯＬＥＤは、互いに反対側を向いた２つの面を有しており、ＯＬＥＤの発光部から出力された光は、これら２つの面のうちの一方の面（発光面）から主に出力されるようになっている。しかしながら、本発明者は、発光部から出力された光の一部が発光面の反対側へ漏れる場合があることを見出した。
【０００５】
本発明が解決しようとする課題としては、発光装置の発光面の反対側へ漏れる光の量を抑えることが一例として挙げられる。
【課題を解決するための手段】
【０００６】
請求項１に記載の発明は、
基板の第１面側に位置し、前記第１面側から第１電極、有機層及び第２電極を順に含む積層構造をそれぞれ有する複数の発光部と、
隣り合う発光部の間にそれぞれ位置する複数の透光部と、
前記複数の透光部のそれぞれにおいて前記基板の前記第１面を覆う複数の遮光体と、
を備える発光装置である。
【図面の簡単な説明】
【０００７】
【図１】実施形態に係る発光装置を示す平面図である。
【図２】図１から第２電極を取り除いた図である。
【図３】図２から絶縁層を取り除いた図である。
【図４】図１のＡ−Ａ断面図である。
【図５】図４に示した発光装置の動作の一例を説明するための図である。
【図６】図４の第１の変形例を示す図である。
【図７】図４の第２の変形例を示す図である。
【図８】実施形態のシミュレーションに係る発光装置を示す断面図である。
【図９】図１０から図１９に示す角度φ及び光度比Ｒを説明するための図である。
【図１０】実施形態に係る発光装置のシミュレーション結果を示す図である。
【図１１】実施形態に係る発光装置のシミュレーション結果を示す図である。
【図１２】実施形態に係る発光装置のシミュレーション結果を示す図である。
【図１３】実施形態に係る発光装置のシミュレーション結果を示す図である。
【図１４】実施形態に係る発光装置のシミュレーション結果を示す図である。
【図１５】実施形態に係る発光装置のシミュレーション結果を示す図である。
【図１６】実施形態に係る発光装置のシミュレーション結果を示す図である。
【図１７】実施形態に係る発光装置のシミュレーション結果を示す図である。
【図１８】実施形態に係る発光装置のシミュレーション結果を示す図である。
【図１９】実施形態に係る発光装置のシミュレーション結果を示す図である。
【図２０】実施形態のシミュレーションに係る発光装置の動作の一例を説明するための図である。
【図２１】基板の厚さＴ、光度比Ｒｗが最初の極小値をとる角度φ及び距離Ｄの関係を示す表である。
【発明を実施するための形態】
【０００８】
以下、本発明の実施の形態について、図面を用いて説明する。尚、すべての図面において、同様な構成要素には同様の符号を付し、適宜説明を省略する。
【０００９】
図１は、実施形態に係る発光装置１０を示す平面図である。図２は、図１から第２電極１３０を取り除いた図である。図３は、図２から絶縁層１４０を取り除いた図である。図４は、図１のＡ−Ａ断面図である。図１から図４において、Ｘ方向は、複数の発光部１５２の配列方向として規定されており、Ｙ方向は、Ｘ方向に交わる方向、より具体的にはＹ方向に直交する方向として規定されている。図１から図３では、説明のため、有機層１２０（図４）を示していない。
【００１０】
図４を用いて、発光装置１０の概要について説明する。発光装置１０は、複数の発光部１５２、複数の透光部１５４及び複数の遮光体２００を備えている。複数の発光部１５２は、基板１００の第１面１０２側に位置している。各発光部１５２は、基板１００の第１面１０２側から第１電極１１０、有機層１２０及び第２電極１３０を順に含む積層構造を有している。各透光部１５４は、隣り合う発光部１５２の間に位置している。言い換えると、複数の発光部１５２及び複数の透光部１５４は、交互に並んでいる。複数の遮光体２００のそれぞれは、複数の透光部１５４のそれぞれにおいて基板１００の第１面１０２を覆っている。
【００１１】
上述した構成によれば、発光装置１０の発光面（後述するように、基板１００の第２面１０４）の反対側へ漏れる光の量を抑えることができる。具体的には、上述した構成においては、各透光部１５４が各透光部１５４において基板１００の第１面１０２を覆っている。各絶縁層１４０は、遮光性を有している。一方、発光部１５２から発せられた一部の光は、基板１００を透過し、基板１００の第１面１０２でフレネル反射によって反射される。上述した構成によれば、このような光を遮光体２００によって遮ることができる。したがって、発光装置１０の発光面（基板１００の第２面１０４）の反対側へ漏れる光の量を抑えることができる。
【００１２】
次に、図１から図３を用いて、発光装置１０の平面レイアウトの詳細について説明する。発光装置１０は、基板１００、複数の第１電極１１０、複数の第１接続部１１２、第１配線１１４、複数の第２電極１３０、複数の第２接続部１３２、第２配線１３４、複数の絶縁層１４０、発光領域１５０及び複数の遮光体２００を備えている。
【００１３】
図１から図３に示す例において、基板１００の形状は、Ｘ方向に沿った長辺及びＹ方向に沿った短辺を有する矩形である。ただし、基板１００の形状は、図１から図３に示す例に限定されるものではない。
【００１４】
複数の第１電極１１０は、互いに離間して位置しており、具体的には、Ｘ方向に沿って一列に並んでいる。複数の第１電極１１０のそれぞれは、Ｙ方向に延伸している。
【００１５】
複数の第１電極１１０のそれぞれは、複数の第１接続部１１２のそれぞれを介して、第１配線１１４に接続している。第１配線１１４は、Ｘ方向に延伸している。外部からの電圧は、第１配線１１４及び第１接続部１１２を介して第１電極１１０に供給される。なお、図３に示す例において、第１電極１１０及び第１接続部１１２は、互いに一体となっている。
【００１６】
複数の第２電極１３０のそれぞれは、複数の第１電極１１０のそれぞれに重なっている。複数の第２電極１３０は、互いに離間して位置しており、具体的には、Ｘ方向に沿って一列に並んでいる。複数の第２電極１３０のそれぞれは、Ｙ方向に延伸している。
【００１７】
複数の第２電極１３０のそれぞれは、複数の第２接続部１３２のそれぞれを介して、第２配線１３４に接続している。第２配線１３４は、Ｘ方向に延伸している。外部からの電圧は、第２配線１３４及び第２接続部１３２を介して第２電極１３０に供給される。
【００１８】
複数の絶縁層１４０のそれぞれは、複数の第１電極１１０のそれぞれに重なっている。複数の絶縁層１４０は、互いに離間して位置しており、具体的には、Ｘ方向に沿って一列に並んでいる。複数の絶縁層１４０のそれぞれは、Ｙ方向に延伸している。
【００１９】
発光領域１５０は、Ｘ方向に沿って交互に並んだ複数の発光部１５２及び複数の透光部１５４を含んでいる。各発光部１５２は、絶縁層１４０の開口１４２によって画定されている。図４を用いて後述するように、開口１４２内において、第１電極１１０、有機層１２０及び第２電極１３０は、基板１００の第１面１０２から順に積層されている。特に図１から図３に示す例において、発光部１５２は、Ｙ方向に長手方向を有している。透光部１５４は、遮光部材と重なっておらず、特に図１から図３に示す例では、第２電極１３０と重なっていない。
【００２０】
複数の遮光体２００は、互いに離間して位置しており、具体的には、Ｘ方向に沿って一列に並んでいる。複数の遮光体２００のそれぞれは、Ｙ方向に延伸している。特に図１から図３に示す例において、複数の遮光体２００のそれぞれは、複数の透光部１５４のそれぞれに位置している。
【００２１】
遮光体２００の第１配線１１４側の端部は、発光部１５２の第１配線１１４側の端部よりも、第１配線１１４側に突出していてもよいし、又は突出していなくてもよく、遮光体２００の第２配線１３４側の端部は、発光部１５２の第２配線１３４側の端部よりも、第２配線１３４側に突出していてもよいし、又は突出していなくてもよい。特に図１から図３に示す例では、遮光体２００の第１配線１１４側の端部は、発光部１５２の第１配線１１４側の端部よりも、第１配線１１４側に突出しており、遮光体２００の第２配線１３４側の端部は、発光部１５２の第２配線１３４側の端部よりも、第２配線１３４側に突出している。したがって、図１から図３に示す例では、発光部１５２のいずれの部分からＸ方向に沿って光が出射されても（詳細は図５を用いて後述する。）、この光が遮光体２００に入射するようにすることができる。
【００２２】
次に、図４を用いて、発光装置１０の断面構造の詳細について説明する。発光装置１０は、基板１００、第１電極１１０、有機層１２０、第２電極１３０、絶縁層１４０及び遮光体２００を備えている。
【００２３】
基板１００は、第１面１０２及び第２面１０４を有している。第１電極１１０、有機層１２０、第２電極１３０、絶縁層１４０及び遮光体２００は、基板１００の第１面１０２側に位置している。第２面１０４は、第１面１０２の反対側にある。発光装置１０（有機層１２０）から発せられる光は、主に、基板１００の第２面１０４から発せられる。したがって、基板１００の第２面１０４は、発光装置１０の発光面として機能している。
【００２４】
基板１００は、透光性を有している。一例において、基板１００は、ガラス又は樹脂を含んでいる。
【００２５】
第１電極１１０は、透光性及び導電性を有している。一例において、第１電極１１０は、酸化物半導体、より具体的には、ＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）を含んでいる。したがって、有機層１２０から発せられた光は、第１電極１１０を透過する。
【００２６】
有機層１２０は、有機エレクトロルミネッセンス（ＥＬ）により光を発することができる。一例において、有機層１２０は、正孔注入層（ＨＩＬ）、正孔輸送層（ＨＴＬ）、発光層（ＥＭＬ）、電子輸送層（ＥＴＬ）及び電子注入層（ＥＩＬ）を含んでいる。この例においては、第１電極１１０からＨＩＬ及びＨＴＬを経由して正孔がＥＭＬに注入され、第２電極１３０からＥＩＬ及びＥＴＬを経由して電子がＥＭＬに注入され、正孔及び電子がＥＭＬで再結合して光を発する。
【００２７】
なお、図４に示す例では、有機層１２０は、複数の発光部１５２に亘って広がっている。言い換えると、複数の発光部１５２は、有機層１２０を共有している。特に図４に示す例では、有機層１２０は、透光部１５４において遮光体２００を覆っている。ただし、他の例においては、互いに離間した複数の有機層１２０のそれぞれが複数の発光部１５２のそれぞれを構成していてもよい。
【００２８】
第２電極１３０は、遮光性、より具体的には光反射性を有しており、さらに、導電性を有している。一例において、第２電極１３０は、金属、より具体的には、Ａｌ、Ａｇ及びＭｇＡｇの少なくとも１つを含んでいる。したがって、有機層１２０から発せられた光は、第２電極１３０で反射される。
【００２９】
絶縁層１４０は、発光部１５２を画定している。具体的には、絶縁層１４０は、開口１４２を有している。絶縁層１４０の開口１４２内において、発光部１５２は、基板１００の第１面１０２から第１電極１１０、有機層１２０及び第２電極１３０を順に含む積層構造を有している。
【００３０】
絶縁層１４０は、透光性を有していてもよいし、又は遮光性を有していてもよい。特に図４に示す例では、絶縁層１４０は、透光性を有している。したがって、絶縁層１４０の一部（第２電極１３０と重なっていない部分）は、透光部１５４の一部となっている。一例において、絶縁層１４０は、有機絶縁材料、例えば、ポリイミドを含んでいる。他の例において、絶縁層１４０は、無機絶縁材料、例えば、シリコン酸化物（ＳｉＯ２）、シリコン窒化物（ＳｉＮ）又はシリコン酸窒化物（ＳｉＯＮ）を含んでいる。
【００３１】
遮光体２００は、遮光性、より具体的には、吸光性を有している。一例において、遮光体２００は、黒色顔料（例えば、カーボンブラック）又は黒色染料を含んでいる。この例において、遮光体２００は、ブラックマトリクスとして機能することができる。
【００３２】
さらに、遮光体２００は、第２電極１３０と同一プロセスで形成されてもよい。この場合、発光装置１０の製造プロセスが増加することを防ぐことができる。特に、この例においては、遮光体２００は、第２電極１３０と同一材料を含むことになる。さらに、遮光体２００の厚さは、第２電極１３０の厚さと実質的に等しくなり、例えば、第２電極１３０の厚さの９５％以上１０５％以下となる。
【００３３】
発光装置１０は、透光性を有している。具体的には、人間の視覚では、発光装置１０を隔てて基板１００の第２面１０４側から基板１００の第１面１０２側が透けて見えるとともに、発光装置１０を隔てて基板１００の第１面１０２側から基板１００の第２面１０４側が透けて見える。これは、発光装置１０が複数の透光部１５４を有しているためである。すなわち、発光装置１０の外部からの光は、透光部１５４を透過することができる。したがって、発光装置１０は、透光性を有している。
【００３４】
複数の発光部１５２は、Ｘ方向に沿ってピッチＰで並んでいる。言い換えると、隣り合う発光部１５２の中心間距離は、ピッチＰとなっている。
【００３５】
発光装置１０の透光性を高くする観点からすると、遮光体２００の幅ＷＳは、ある程度狭いことが好ましい。具体的には、各透光部１５４は、隣り合う発光部１５２の中心間で遮光体２００から露出した領域を有しており、Ｘ方向において、透光部１５４の当該領域は、隣り合う発光部１５２の中心間の例えば３０％以上を占めることが好ましい。すなわち、図４に示す例では、隣り合う発光部１５２の中心間距離Ｐ、透光部１５４の幅ＷＴ及び遮光体２００の幅ＷＳが例えば（ＷＴ−ＷＳ）／Ｐ×１００≧３０を満たすことが好ましい。
【００３６】
図５は、図４に示した発光装置１０の動作の一例を説明するための図である。
【００３７】
図５に示す例では、発光部１５２から発せられた光が基板１００を透過し、基板１００の第２面１０４でフレネル反射によって反射されている（図５において、光は黒矢印で示されている。）。図５に示す例では、この光が遮光体２００によって遮られている。したがって、発光装置１０の発光面（基板１００の第２面１０４）の反対側へ漏れる光の量を抑えることができる。
【００３８】
どの位置の光を遮るかは、遮光体２００の位置によって制御することができる。特に図５に示す例では、遮光体２００は、透光部１５４の中心で基板１００の第１面１０２を覆っている。より具体的には、Ｘ方向において、遮光体２００の中心は、透光部１５４の中心と揃っている。したがって、透光部１５４の中心及びその近傍から光が漏れることを防ぐことができる。
【００３９】
なお、遮光体２００の位置は、図５に示す例に限定されるものではない。遮光体２００の位置は、どの位置の光を遮るかに応じて変えることができる。一例において、発光部１５２の近傍の光を遮る場合は、遮光体２００を透光部１５４の中心からずらして発光部１５２の近傍に位置させることができる（例えば、後述する図７）。
【００４０】
図６は、図４の第１の変形例を示す図である。
【００４１】
図６に示す例において、有機層１２０は、複数の発光部１５２に亘って広がっており、透光部１５４において、遮光体２００は、有機層１２０上から基板１００の第１面１０２を覆っている。言い換えると、遮光体２００は、有機層１２０に覆われていない。図６に示す例においても、遮光体２００は、基板１００の第１面１０２で反射された光を遮ることができる。したがって、発光装置１０の発光面（基板１００の第２面１０４）の反対側へ漏れる光の量を抑えることができる。
【００４２】
図７は、図４の第２の変形例を示す図である。
【００４３】
図７に示す例では、発光装置１０は、隣り合う発光部１５２、すなわち、第１発光部１５２ａと第２発光部１５２ｂの間に複数の遮光体２００、すなわち、第１遮光体２００ａ及び第２遮光体２００ｂを備えている。第１遮光体２００ａは、第２遮光体２００ｂよりも、第１発光部１５２ａに近く位置しており、第２遮光体２００ｂは、第１遮光体２００ａよりも、第２発光部１５２ｂに近く位置している。
【００４４】
どの位置の光を遮るかは、複数の遮光体２００（すなわち、第１遮光体２００ａ及び第２遮光体２００ｂ）の位置によって制御することができる。図７に示す例では、互いに離間した位置の光を第１遮光体２００ａ及び第２遮光体２００ｂによって遮ることができる。特に図７に示す例では、第１遮光体２００ａは、第２発光部１５２ｂよりも第１発光部１５２ａの近く、より具体的には透光部１５４の中心からずれて第１発光部１５２ａの近傍に位置しており、第２遮光体２００ｂは、第１発光部１５２ａよりも第２発光部１５２ｂの近く、より具体的には透光部１５４の中心からずれて第２発光部１５２ｂの近傍に位置している。したがって、第１発光部１５２ａの近傍の光は、第１遮光体２００ａによって遮ることができ、第２発光部１５２ｂの近傍の光は、第２遮光体２００ｂによって遮ることができる。
【００４５】
発光装置１０の透光性を高くする観点からすると、第１遮光体２００ａの幅ＷＳａ及び第２遮光体２００ｂの幅ＷＳｂは、ある程度狭いことが好ましい。具体的には、各透光部１５４は、隣り合う発光部１５２の中心間で第１遮光体２００ａ及び第２遮光体２００ｂから露出した領域を有しており、Ｘ方向において、透光部１５４の当該領域は、隣り合う発光部１５２の中心間の例えば３０％以上を占めることが好ましい。すなわち、図７に示す例では、隣り合う発光部１５２の中心間距離Ｐ、透光部１５４の幅ＷＴ、第１遮光体２００ａの幅ＷＳａ及び第２遮光体２００ｂの幅ＷＳｂが例えば（ＷＴ−ＷＳａ−ＷＳｂ）／Ｐ×１００≧３０を満たすことが好ましい。
【００４６】
次に、図８から図２０を用いて、図１から図４に示した発光装置１０のシミュレーションについて説明する。
【００４７】
図８は、本実施形態のシミュレーションに係る発光装置１０を示す断面図である。本実施形態では、以下の条件で発光装置１０のシミュレーションを行った。
【００４８】
基板１００は、ガラス基板（屈折率：１．５２）とした。基板１００の形状は、Ｘ方向沿った９０ｍｍの辺及びＹ方向に沿った６０ｍｍの辺を有する矩形とした。基板１００の第２面１０４は、空気（屈折率：１）に接するようにした。基板１００の厚さＴは、後述する図１０、図１１、図１２、図１３、図１４、図１５、図１６、図１７、図１８及び図１９において、それぞれ、０．１ｍｍ、０．２ｍｍ、０．３ｍｍ、０．４ｍｍ、０．５ｍｍ、０．６ｍｍ、０．７ｍｍ、０．８ｍｍ、０．９ｍｍ及び１．０ｍｍとした。
【００４９】
各発光部１５２の幅は、２００μｍとした。隣り合う発光部１５２の中心間距離（言い換えると、複数の発光部１５２のピッチ）Ｐは、０．７１４ｍｍとした。各第２電極１３０の幅は、２５０μｍとした。したがって、各発光部１５２の端部から各第２電極１３０の外側端部までの各第２電極１３０の幅Ｇは、２５μｍとなっている。
【００５０】
各第１電極１１０の厚さ、各有機層１２０の厚さ及び各第２電極１３０の厚さは、ゼロとみなした。なお、図８では、説明のため、有機層１２０及び第２電極１３０を図示している。
【００５１】
Ｘ方向において、遮光体２００の中心は、透光部１５４の中心と揃っている。遮光体２００の幅ＷＳは、２００μｍとした。
【００５２】
発光装置１０は、基板３００を備えている。基板３００は、第１面３０２及び第２面３０４を有している。基板３００は、第１面３０２が基板１００の第１面１０２と対向するように位置している。第２面３０４は、第１面３０２の反対側にある。基板３００の厚さは、０．４ｍｍとした。基板３００の第１面３０２から基板１００の第１面１０２までの距離は、０．７ｍｍとした。基板１００の第１面１０２と基板３００の第１面３０２の間の領域は、空気（屈折率：１）とした。
【００５３】
図９は、図１０から図１９に示す角度φ及び光度比Ｒを説明するための図である。
【００５４】
基板１００の第２面１０４（発光装置１０の発光面）側における輝度分布は、第２面１０４に垂直な方向において第１輝度Ｌ１を有している。基板１００の第１面１０２（発光装置１０の発光面とは反対側の面）側における輝度分布は、第２面３０４に垂直な方向からＸ方向に沿って角度φ傾いた方向において第２輝度Ｌ２を有している。
【００５５】
光度比Ｒは、以下の式（１）によって定義される。
Ｒ＝Ｌ２／Ｌ１×１００      （１）
【００５６】
なお、基板３００の第２面３０４から角度φで出射されている光は、スネルの法則より、基板１００の第１面１０２からも角度φで出射されている。
【００５７】
図１０から図１９の各図は、本実施形態に係る発光装置１０のシミュレーション結果を示す図である。
【００５８】
図１０（ａ）から図１９（ａ）までの各図において、光度比Ｒｗ及びＲｗ／ｏを算出している。光度比Ｒは、実施形態に係る光度比Ｒである。光度比Ｒｗ／ｏは、比較例に係るＲである。実施形態に係る発光装置１０は、図８に示した発光装置１０である。比較例に係る発光装置１０は、遮光体２００が設けられていない点を除いて、実施形態に係る発光装置１０と同様である。
【００５９】
図１０（ｂ）から図１９（ｂ）までの各図において、実施形態に係る光度比Ｒｗと比較例に係るＲｗ／ｏの差Ｒｗ／ｏ−Ｒｗを算出している。
【００６０】
実施形態に係る光度比Ｒｗの分布は、以下の特徴を有している。図１０（ａ）から図１９（ａ）までのいずれにおいても、光度比Ｒｗは、角度φが０°から増加するにつれて増加し、最初の極大値をとる。図１０（ａ）から図１９（ａ）までのうち図１２（ａ）から図１９（ａ）までにおいては、光度比Ｒｗは、最初の極大値を取った後、最初の極小値をとる。
【００６１】
図２０は、実施形態のシミュレーションに係る発光装置１０の動作の一例を説明するための図である。
【００６２】
図２０に示す例では、発光部１５２の中心から発せられた光が、基板１００を透過して、基板１００の第２面１０４において反射角θで反射され、基板１００の第１面１０２から角度φで出射されている（図２０において、光は黒実線矢印で示されている。）。この光は、発光部１５２の中心から距離Ｌ離れた位置から出射されている。
【００６３】
距離Ｄは、Ｄ＝２Ｔｔａｎθより、以下の式（２）のように置くことができる。
Ｄ＝２Ｔｔａｎ（ｓｉｎ−１（ｓｉｎφ／ｎ））      （２）
ただし、ｎは、基板１００の屈折率である。
【００６４】
図２１は、基板１００の厚さＴ、光度比Ｒｗが最初の極小値をとる角度φ及び距離Ｄの関係を示す表である。図２１では、距離Ｄは、式（２）を用いて算出している。
【００６５】
図２１に示すように、いずれの厚さＴにおいても、距離Ｄは、発光部１５２の中心と遮光体２００の中心との間の距離（すなわち、隣り合う発光部１５２の中心間距離Ｐ（０．７１４ｍｍ）の１／２：０．３５７ｍｍ）とよく一致している。
【００６６】
どの角度で漏れる光を遮るかは、遮光体２００の位置によって制御することができる。具体的には、図２１を用いた上述した検討の結果から、遮光体２００が、発光部１５２の中心から距離Ｄ、すなわち、２Ｔｔａｎ（ｓｉｎ−１（ｓｉｎφ／ｎ））離れた位置Ｐで第１面１０２を覆っている場合、発光装置１０の発光面（基板１００の第２面１０４）の反対側へ角度φで漏れる光の量をよく抑えることができるといえる。
【００６７】
発光装置１０の透光性を高くする観点からすると、遮光体２００の幅ＷＳは、ある程度狭いことが好ましい。一例において、Ｘ方向において、遮光体２００は、位置Ｐ（図２０）から一方の側に向かって発光部１５２の幅ＷＬの１／２と実質的に等しい（例えば、発光部１５２の幅ＷＬの１／２の９０％以上１１０％以下、好ましくは９５％以上１０５％以下）距離離れた位置まで広がるようにし、かつ位置Ｐ（図２０）からもう一方の側に向かって発光部１５２の幅ＷＬの１／２と実質的に等しい（例えば、発光部１５２の幅ＷＬの１／２の９０％以上１１０％以下、好ましくは９５％以上１０５％以下）距離離れた位置まで広がるようにすることができる。具体的には、図２０に示すように、角度φで光が漏れる領域の幅（図２０において、ΔＤ１＋ΔＤ２）は、発光部１５２の幅ＷＬと実質的に等しくなる。したがって、上述した一例においては、角度φで漏れる光のほぼすべてをよく遮ることができるといえる。
【００６８】
以上、本実施形態によれば、発光装置１０の発光面（基板１００の第２面１０４）の反対側へ漏れる光の量を抑えることができる。
【００６９】
以上、図面を参照して実施形態及び実施例について述べたが、これらは本発明の例示であり、上記以外の様々な構成を採用することもできる。
【符号の説明】
【００７０】
１０  発光装置
１００  基板
１０２  第１面
１０４  第２面
１１０  第１電極
１１２  第１接続部
１１４  第１配線
１２０  有機層
１３０  第２電極
１３２  第２接続部
１３４  第２配線
１４０  絶縁層
１４２  開口
１５０  発光領域
１５２  発光部
１５２ａ  第１発光部
１５２ｂ  第２発光部
１５４  透光部
２００  遮光体
２００ａ  第１遮光体
２００ｂ  第２遮光体
３００  基板
３０２  第１面
３０４  第２面
【図１】
2018147721.tif 000003
【図２】
2018147721.tif 000004
【図３】
2018147721.tif 000005
【図４】
2018147721.tif 000006
【図５】
2018147721.tif 000007
【図６】
2018147721.tif 000008
【図７】
2018147721.tif 000009
【図８】
2018147721.tif 000010
【図９】
2018147721.tif 000011
【図１０】
2018147721.tif 000012
【図１１】
2018147721.tif 000013
【図１２】
2018147721.tif 000014
【図１３】
2018147721.tif 000015
【図１４】
2018147721.tif 000016
【図１５】
2018147721.tif 000017
【図１６】
2018147721.tif 000018
【図１７】
2018147721.tif 000019
【図１８】
2018147721.tif 000020
【図１９】
2018147721.tif 000021
【図２０】
2018147721.tif 000022
【図２１】
2018147721.tif 000023